(57)【特許請求の範囲】
【請求項１】
定められた処理のためにテープへの印字途中で印字動作を中断するテープ印字装置であって、ＤＣモータを駆動源とし前記テープを長さ方向に搬送する搬送手段と、この搬送手段により前記テープが所定距離だけ搬送される毎に基準信号を発生する信号発生手段と、前記テープの幅方向に印字素子が配列された印字ヘッドを備え、該印字ヘッドを前記信号発生手段により発生される基準信号に同期して駆動し前記テープに印字データを順次１ラインずつ印字する印字手段と、前記ＤＣモータ及び前記印字ヘッドに駆動電圧を供給する電源手段と、前記定められた処理のために、前記テープへの印字途中で印字動作を中断する際に、前記電源手段による前記ＤＣモータへの駆動電圧の供給を停止すると共に、前記電源手段による前記印字ヘッドへの駆動電圧の供給を継続して前記テープの搬送が停止するまでの間に前記信号発生手段により発生される基準信号に同期して前記印字手段により前記テープに印字データの印字を行なう制御手段とを具備したことを特徴とするテープ印字装置。
【請求項２】
テープの端部に余白を設定する余白設定手段と、印字されるパターンデータを記憶する印字パターンデータ記憶手段と、ＤＣモータを駆動源とし前記テープを長さ方向に搬送する搬送手段と、この搬送手段により前記テープが所定距離だけ搬送される毎に基準信号を発生する信号発生手段と、この信号発生手段により発生される基準信号を計数する計数手段と、前記テープの幅方向に印字素子が配列された印字ヘッドを備え、該印字ヘッドを前記信号発生手段により発生される基準信号に同期して駆動して前記印字パターンデータ記憶手段に記憶されるパターンデータを前記テープに順次１ラインずつ印字する印字手段と、前記ＤＣモータ及び前記印字ヘッドに駆動電圧を供給する電源手段と、前記印字手段に対して前記テープの排出方向に配設され、前記余白設定手段により設定された余白を設けるために前記テープの端部を切断するカッタ手段と、前記印字手段の印字途中で、前記計数手段の計数値が前記余白設定手段により設定された余白を確保できる値になったときに、前記カッタ手段により前記テープの端部を切断するために、前記ＤＣモータへの前記電源手段による駆動電圧の供給を停止すると共に、前記電源手段による前記印字ヘッドへの駆動電圧の供給を継続して前記テープの搬送が停止するまでの間に前記信号発生手段により発生される基準信号に同期して前記印字手段による印字を行なう印字中断手段と、前記カッタ手段による前記テープの切断処理の終了後に前記印字手段による前記テープへの印字を再開する印字再開手段とを具備したことを特徴とするテープ印字装置。
【請求項３】
前記搬送手段は、前記印字ヘッドとの間で前記テープを挟持するプラテンローラ、このプラテンローラに前記ＤＣモータの回転駆動を伝達する回転伝達機構を備え、前記信号発生手段は、前記回転伝達機構内に設けられて前記ＤＣモータの回転を検出して基準信号を発生するエンコーダにより構成したことを特徴とする請求項１又は請求項２に記載のテープ印字装置。
【請求項４】
さらに、前記カッタ手段を作動するカッタ制御手段を備えたことを特徴とする請求項２に記載のテープ印字装置。
【発明の詳細な説明】
【０００１】
【発明の属する技術分野】
本発明は、長尺状の帯状記録紙（テープ）を被印字媒体として印字を行なうテープ印字装置に関する。
【０００２】
【従来の技術】
従来、オーディオカセットやビデオカセットに貼付けてその内容を記すインデックスラベル、あるいは種々の所持品に貼付けてその所有者を記すネームラベル等をオリジナルで作成する装置の１つとして、例えばテープ印字装置が提供されている。
【０００３】
このテープ印字装置は、多数の文字入力キーを備えた文書作成機能を有し、この文書作成機能により任意に作成した文字列からなる文書データ等を、印字キーを操作することでテキストデータとして長尺状のテープにサーマル印字ヘッドを介して熱転写印字して出力するもので、この印字されたテープは、順次搬送されて装置本体側面のテープ排出口より外部に排出され、前記印字ヘッドとテープ排出口との間に配設された手動又は自動的に駆動されるカッタにより切断分離されるようになっている。
【０００４】
ここで、前記テープ印字装置におけるサーマル印字ヘッドによる印字位置とカッタによるテープ切断位置との間には、構造上一定の間隔が有るため、印字されたテープの先頭には、その間隔分の余白が生じ、また、テープに対するデータの印字後は、印字済み領域の途中でテープが切断されないよう、前記一定間隔以上のテープ送りをしてからカッタによる切断分離操作が行なわれる。
【０００５】
そして、テープの先端に、任意の余白を設定した場合には、印字開始後、前記テープ排出口の方向に搬送されるテープの印字済み先頭位置と前記カッタによるテープ切断位置との間隔が、設定された余白長さになった際に、一旦印字動作を中断して不要な余白部分のテープを切断分離し、中断した印字動作を再開するようにしている。
【０００６】
【発明が解決しようとする課題】
しかしながら、前記従来のテープ印字装置において、テープを搬送する動力源としてＤＣモータを使用している場合には、印字動作の中断処理に伴ないＤＣモータ及び印字ヘッドに対する駆動電圧の供給を停止しても、ＤＣモータにおける惰性の回転により、テープは僅かながらそのまま搬送されて完全停止するため、この後印字動作を再開するとその間に印字抜けが生じてしまう問題がある。
【０００７】
本発明は、前記のような問題に鑑みなされたもので、例えばテープ先端に任意設定による余白を設けるため印字動作を中断した際に、ＤＣモータの惰性回転によりテープがそのまま僅かに搬送された場合でも、印字抜けが生じることなく、印字動作を再開することが可能になるテープ印字装置を提供することを目的とする。
【０００８】
【課題を解決するための手段】
すなわち、本発明の請求項１に係わるテープ印字装置は、定められた処理のためにテープへの印字途中で印字動作を中断するテープ印字装置であって、ＤＣモータを駆動源とし前記テープを長さ方向に搬送する搬送手段と、この搬送手段により前記テープが所定距離だけ搬送される毎に基準信号を発生する信号発生手段と、前記テープの幅方向に印字素子が配列された印字ヘッドを備え、該印字ヘッドを前記信号発生手段により発生される基準信号に同期して駆動し前記テープに印字データを順次１ラインずつ印字する印字手段と、前記ＤＣモータ及び前記印字ヘッドに駆動電圧を供給する電源手段と、前記定められた処理のために、前記テープへの印字途中で印字動作を中断する際に、前記電源手段による前記ＤＣモータへの駆動電圧の供給を停止すると共に、前記電源手段による前記印字ヘッドへの駆動電圧の供給を継続して前記テープの搬送が停止するまでの間に前記信号発生手段により発生される基準信号に同期して前記印字手段により前記テープに印字データの印字を行なう制御手段とを具備したことを特徴とする。
【０００９】
つまり、本発明の請求項１に係わるテープ印字装置では、定められた処理のために、テープへの印字途中で印字動作を中断した際には、電源手段によるＤＣモータへの駆動電圧の供給が停止された後も、該電源手段による印字ヘッドへの駆動電圧の供給が継続され、前記テープが所定距離だけ搬送される毎に信号発生手段により発生される基準信号に同期して、印字手段により前記テープに印字データの印字が行なわれるので、ＤＣモータの惰性回転によるテープ搬送時にも対応する印字がなされることになる。
【００１０】
また、本発明の請求項２に係わるテープ印字装置は、テープの端部に余白を設定する余白設定手段と、印字されるパターンデータを記憶する印字パターンデータ記憶手段と、ＤＣモータを駆動源とし前記テープを長さ方向に搬送する搬送手段と、この搬送手段により前記テープが所定距離だけ搬送される毎に基準信号を発生する信号発生手段と、この信号発生手段により発生される基準信号を計数する計数手段と、前記テープの幅方向に印字素子が配列された印字ヘッドを備え、該印字ヘッドを前記信号発生手段により発生される基準信号に同期して駆動して前記印字パターンデータ記憶手段に記憶されるパターンデータを前記テープに順次１ラインずつ印字する印字手段と、前記ＤＣモータ及び前記印字ヘッドに駆動電圧を供給する電源手段と、前記印字手段に対して前記テープの排出方向に配設され、前記余白設定手段により設定された余白を設けるために前記テープの端部を切断するカッタ手段と、前記印字手段の印字途中で、前記計数手段の計数値が前記余白設定手段により設定された余白を確保できる値になったときに、前記カッタ手段により前記テープの端部を切断するために、前記ＤＣモータへの前記電源手段による駆動電圧の供給を停止すると共に、前記電源手段による前記印字ヘッドへの駆動電圧の供給を継続して前記テープの搬送が停止するまでの間に前記信号発生手段により発生される基準信号に同期して前記印字手段による印字を行なう印字中断手段と、前記カッタ手段による前記テープの切断処理の終了後に前記印字手段による前記テープへの印字を再開する印字再開手段とを具備したことを特徴とする。
【００１１】
つまり、本発明の請求項２に係わるテープ印字装置では、印字手段の印字途中で、テープが所定距離だけ搬送される毎に信号発生手段により発生される基準信号の計数値が、余白設定手段により設定された余白を確保できる値になったときには、カッタ手段により前記テープの端部を切断するために、ＤＣモータへの電源手段による駆動電圧の供給が停止されると共に、該電源手段による印字ヘッドへの駆動電圧の供給が継続されて前記テープの搬送が停止するまでの間に前記信号発生手段により発生される基準信号に同期して前記印字手段による印字が行なわれ、前記カッタ手段による前記テープの切断処理の終了後には、前記印字手段による前記テープへの印字が再開されるので、不要余白切断のための印字中断に伴なうＤＣモータの惰性回転によるテープ搬送時にも対応する印字がなされ、印字再開されることになる。
【００１２】
【発明の実施の形態】
以下図面により本発明の実施の形態について説明する。
図１は本発明のテープ印字装置の実施形態に係わるテーププリンタの外観の構成を示す斜視図である。
【００１３】
図１に示すように、装置本体１１の上面には、キーボード（キー入力部）１２、液晶表示部１３が設けられ、開閉自在の蓋１４でカバーされたカセット収容部１５が設けられる。
【００１４】
キーボード１２には、テキストデータを入力するためのアルファベット文字キー、数字キー、記号キー等の文字入力キー１２ａが備えられ、さらに、電源キー１２ｂ、液晶表示部１３上に表示されるカーソルを移動させるカーソルキー１２ｃ、アルファベットの大文字と小文字を切り換えるシフトキー１２ｄ、各種入力データや選択データの確定、所定機能の開始の指示等を行なうときに操作されるリターン（実行）キー１２ｅ、入力されたテキストデータの印字処理を実行する際に操作されるプリント（印字）キー１２ｆ、テキストデータの印字処理を中止させる際に操作されるストップ（印字中止）キー１２ｇ等が備えられる。
【００１５】
１６は印字されたテープ３０が装置本体１１の外部に排出されるテープ排出口、１６ａは該テープ排出口１６から排出されたテープの先頭部分を切断分離するためのカッタ操作レバーである。
【００１６】
図２は前記テーププリンタの装置本体１１の上面の蓋１４を開いて見たカセット収容部１５の内部の構成を示す図である。
このカセット収容部１５の内部には、サーマルプリンタからなる印字ヘッド部１７が設けられる。
【００１７】
また、カセット収容部１５には、印字用のテープ３０と熱転写用のインクリボン３１を収容したテープカセット２４が装着される。
前記印字ヘッド部１７は、テキストデータに基づいて発熱駆動されるサーマル印字ヘッド１８と、このサーマル印字ヘッド１８の駆動時に回転駆動されてテープ３０及びインクリボン３１を搬送するプラテンローラ２２及びインクリボン巻き取り軸２３等を備える。
【００１８】
サーマル印字ヘッド１８は、テープ３０の幅方向に沿って１列に配列された複数個の発熱素子１９を備え、支軸２０を中心に回動可能な支持体２１に取り付けられている。サーマル印字ヘッド１８は図示しない機構により蓋１４の開閉に連動して支軸２０を中心に回動しプラテンローラ２２と接触したり開離したりする。
【００１９】
すなわち、蓋１４が閉じられた印字時には、図２に示すように、サーマル印字ヘッド１８はテープ３０とインクリボン３１を間に挟んでプラテンローラ２２に押圧される。また、テープカセット２４の交換時等で蓋１４が開けられたときには、サーマル印字ヘッド１８はプラテンローラ２２から離れてテープカセット２４の交換を可能にする。
【００２０】
プラテンローラ２２は反時計回りの１方向に回転されるもので、図示しない駆動部により印字動作に伴ない回転駆動されてテープ３０及びインクリボン３１を一定速度で搬送する。このプラテンローラ２２の回転駆動と共に、インクリボン巻き取り軸２３も前記駆動部により時計回りの１方向に回転駆動されてサーマル印字ヘッド１８で熱転写された使用済みのインクリボン３１が巻き取られる。
【００２１】
プラテンローラ２２及びインクリボン巻き取り軸２３の駆動部（図３参照）は、公知のテーププリンタのものと同様な構成であり、駆動源であるＤＣモータ４３とその駆動回路（ドライバ４７）、ＤＣモータ４３の回転をプラテンローラ２２やインクリボン巻き取り軸２３に伝達する回転伝達機構であるギヤ列４４を備えている。
【００２２】
カセット収容部１５に装着されるテープカセット２４は、カセットケース２５と、印字用のテープ３０を巻装したテープ供給リール２６と、熱転写用のインクリボン３１を巻装したインクリボン供給リール２７と、巻き取り駆動軸２３により回転駆動されるインクリボン巻き取りリール２８とを備えている。また、カセットケース２５の一部には、サーマル印字ヘッド１８が収容される凹部２９が設けられ、この凹部２９にカセットケース２５からテープ３０及びインクリボン３１が引き出されてサーマル印字ヘッド１８とプラテンローラ２２との間にセットされる。
【００２３】
前記印字用のテープ３０は、裏面に接着剤が塗布され表面が印字面となる合成樹脂シートと、この合成樹脂シートの裏面に貼着される剥離紙とで構成される。
また、カセット収容部１５には、テープ排出口１６に隣接してカッタ機構３２が設けられる。
【００２４】
カッタ機構３２は、装置本体１１に固定して設けられる固定刃３３と、この固定刃３３に軸で回動可能に軸着された前記カッタ操作レバー１６ａの操作により回動する可動刃３５とからなるハサミ形状に構成される。
【００２５】
すなわち、前記印字ヘッド部１７では、テキストデータの印字動作時に、テープ３０とインクリボン３１とがリボン巻き取りリール２８及びプラテンローラ２２の回転により、それぞれ同一の速度で搬送され、サーマル印字ヘッド１８がプラテンローラ２２との間にテープ３０とインクリボン３１とを挟み付けて熱転写動作することにより、テキストデータが順次テープ３０に印字される。印字が済んだテープ３０は、テープ排出口１６から装置本体１１の外部に排出される。そして、カッタ機構３２により印字済み部分のテープ３０が切断分離される。
【００２６】
なお、テキストデータの印字に際し、テープ３０の先端に余白を設定した場合には、印字動作の開始後、前記テープ排出口１６の方向に搬送されるテープ３０の印字済み先頭位置と前記カッタ機構３２によるテープ切断位置との間隔が、設定された余白長さになったとき、一旦印字動作が中断される。そして、不要な余白部分のテープを切断分離して実行キー１２ｅを操作すると、中断された印字動作が再開される。
【００２７】
図３は前記テーププリンタの電子回路の構成を示すブロック図である。
このテーププリンタの電子回路には、制御部（ＣＰＵ）４０が備えられる。
制御部４０は、キーボード（キー入力部）１２からのキー操作信号に応じてＲＯＭ４１に予め記憶されているシステムプログラムを起動させ、回路各部の動作制御を行なう。
【００２８】
この制御部４０には、前記キー入力部１２、ＲＯＭ４１の他、ＲＡＭ４２、液晶表示部１３、印字ヘッド部１７が接続されると共に、プラテンローラ２２の駆動源であるＤＣモータ４３のドライバ４７が電源回路４６を介して接続される。
【００２９】
印字ヘッド部１７には、サーマル印字ヘッド１８の発熱素子１９及び制御部４０から送られた１ライン印字データＤＡＴＡを格納するシフトレジスタやラッチ回路、制御部４０からのストロー部信号ＳＴＢに応じて発熱素子１９を駆動するドライバ等が備えられる。
【００３０】
前記プラテンローラ２２を駆動する駆動部の回転伝達機構であるギヤ列４４には、エンコーダ４５が取り付けられ、このエンコーダ４５からは、前記ＤＣモータ４３の回転駆動に伴ない、プラテンローラ２２によるテープ３０の１ドットラインの搬送動作に対応したギヤ列４４の回転量に同期してエンコーダパルスＳが１発ずつ出力され、前記制御部４０に供給される。
【００３１】
つまり、プラテンローラ２２の回転によりテープ３０及びインクリボン３１が１ドットラインずつ搬送されエンコーダパルスＳが出力されるのに同期して、サーマル印字ヘッド１８の１ラインの発熱素子１９が発熱駆動される。
【００３２】
前記ＤＣモータドライバ４７によるＤＣモータ４３の駆動電圧ＶM 及び印字ヘッド部１７のヘッドドライバによるサーマル印字ヘッド１８の駆動電圧ＶH は、制御部４０からのモータ制御信号ＣM 及びヘッド制御信号ＣH に応じて電源回路４６により供給されるもので、モータ駆動電圧ＶM は、印字動作の開始時から中断時までの期間と再開時から終了時までの期間において供給され、また、ヘッド駆動電圧ＶH は、１ライン印字データＤＡＴＡの順次出力中で且つエンコーダパルスＳが順次出力されている期間において供給される。
【００３３】
前記ＲＯＭ４１には、各種データ入力モードにおけるテキストデータの入力制御プログラムや印刷制御プログラム等、制御部４０によるシステム制御プログラムが予め記憶されると共に、キー入力部１２により入力可能な全ての文字・記号コードに対応するキャラクタパターンデータが予め記憶される。
【００３４】
また、ＲＯＭ４１には、図２に示すように、サーマル印字ヘッド１８によるテープ３０に対する印字位置とカッタ機構３２によるテープ３０の切断位置との構造上の離間距離データＬが予め記憶されるヘッド〜カッタ間距離メモリ４１ａが備えられる。
【００３５】
前記ＲＡＭ４２には、キー入力部１２からのキー入力データが文字コードあるいは制御コードの状態で記憶される入力バッファ４２ａ、キー入力されたテキストデータを液晶表示部１３に表示するために、該テキストデータに対応するキャラクタパターンがＲＯＭ４１から読み出されて記憶される表示バッファ４２ｂ、印字すべきテキストデータがビットマップデータに展開されて記憶される印字バッファ４２ｃ、印刷処理の開始時から印字データ出力終了時までの１ライン毎のテープ搬送に伴なうエンコーダパルスＳの発生数ｎがカウント記憶される第１テープ搬送量カウンタ４２ｄ、印字データ出力終了時以降の１ライン毎のテープ搬送に伴なうエンコーダパルスＳの発生数ｍがカウント記憶される第２テープ搬送カウンタ４２ｅ等が備えられる。
【００３６】
また、ＲＡＭ４２には、キー入力部１２の操作により任意に設定された余白長さデータＹが記憶される余白データレジスタ、前記ＲＯＭ４１内のヘッド〜カッタ間距離メモリ４１ａに記憶されているヘッド１８〜カッタ３２間の離間距離データＬから前記余白長さデータＹを差し引いたテープ先端不要長さ（Ｌ−Ｙ）に相当するテープ３０の搬送ライン数Ａが記憶される初期搬送ライン数レジスタ、前記離間距離データＬに前記余白長さデータＹを加えた印字終了時の空送り長さ（Ｌ＋Ｙ）に相当するテープ３０の搬送ライン数Ｂが記憶される終了搬送ライン数レジスタが備えられる。
【００３７】
また、制御部４０には、タイマ４０ａが備えられ、ＤＣモータ４３の駆動停止時においてテープ３０の搬送動作が完全に停止したことを判断するためのエンコーダパルスＳの未発生時における一定時間が計時される。
【００３８】
次に、前記構成によるテーププリンタの動作について説明する。
図４は前記テーププリンタにおける印刷処理（その１）を示すフローチャートである。
【００３９】
図５は前記テーププリンタにおける印刷処理（その２）を示すフローチャートである。
図６は前記テーププリンタの印刷処理に伴なう印字動作中断時の動作を示すタイミングチャートである。
【００４０】
キー入力部１２における文字入力キー１２ａの操作により、印刷すべきテキストデータが作成され、ＲＡＭ４２内の印刷データメモリに個々の文字データに対応するキャラクタパターンデータが読み出されてビットマップデータとして記憶されている状態で、このテキストデータを印刷するためにプリント（印字）キー１２ｆを操作すると、図４，図５における印刷処理が起動される。
【００４１】
まず、ＲＡＭ４２内の第１テープ搬送量カウンタ４２ｄ及び第２テープ搬送カウンタ４２ｅにおけるカウントデータｎ，ｍがリセットされてイニシャル処理される（ステップＳ１）。
【００４２】
そして、制御部４０から電源回路４６に対してモータ駆動制御信号ＣM が出力されることで、モータドライバ４７へモータ駆動電圧ＶM が供給され、ＤＣモータ４３が回転駆動される（ステップＳ２）。
【００４３】
すると、ＤＣモータ４３の回転動作がギヤ列４４を介してプラテンローラ２２に伝達され、サーマル印字ヘッド１８のライン型発熱素子１９との間に挟持されたテープ３０及びインクリボン３１の搬送が開始される。
【００４４】
ここで、前記テープ３０及びインクリボン３１が１ライン分搬送される毎に、前記ギヤ列４４に設けられたエンコーダ４５によりエンコーダパルス（基準信号）Ｓが発生され、制御部４０に出力されるもので、このエンコーダパルスＳの発生毎に、前記ＲＡＭ４２内の第１テープ搬送量カウンタ４２ｄにおけるカウント値ｎが（＋１）されると共に、印字バッファ４２ｃに印字データメモリから順次読み出されて記憶される１ライン印字データＤＡＴＡが印字ヘッド部１７に転送されてラッチされ、また、ストローブ信号ＳＴＢが印字ヘッド部１７に供給され、さらに、ヘッド制御信号ＣＨにより電源回路４６からヘッド駆動電圧ＶH が印字ヘッド部１７に供給開始され、テープ３０に対し順次１ラインずつの印字データが印字される（ステップＳ３→Ｓ４，Ｓ５）。
【００４５】
すると、前記１ライン印字処理が行なわれてテープ３０が１ラインずつ搬送される毎に、前記ＲＡＭ４２内の第１テープ搬送量カウンタ４２ｄにおけるカウント値ｎと同ＲＡＭ４２内の初期搬送ライン数レジスタにセットされているヘッド１８〜カッタ３２間の離間距離データＬから設定余白長さデータＹを差し引いたテープ先端不要長さ（Ｌ−Ｙ）に相当するテープ３０の搬送ライン数Ａとが一致したか否か、つまり、印字領域の先頭に設定余白のみ残したテープ３０に対する切断対象位置がカッタ機構３２による切断処理位置まで進行したか否か判断される（ステップＳ６）。
【００４６】
ここで、１ライン印字動作の開始時点から搬送されるテープ３０の先端に設定余白長Ｙのみを残したテープ切断対象位置がカッタ機構３２における切断処理位置まで進行したこと、つまり、前記第１テープ搬送量カウンタ４２ｄにおけるカウント値ｎと初期搬送ライン数レジスタにセットされているテープ先端不要長さ（Ｌ−Ｙ）に相当するテープ３０の搬送ライン数Ａとが一致したと判断されると、電源回路４６に対するモータ駆動制御信号の出力が停止されることでＤＣモータ４３に対するモータ駆動電圧ＶM の供給が停止され、テープ３０及びインクリボン３１の搬送制御が停止される（ステップＳ６→Ｓ７）。
【００４７】
この際、電源回路４６から印字ヘッド部１７に対するヘッド駆動電圧ＶH は継続して供給される。
ここで、ＤＣモータ４３からギヤ列４４を介してプラテンローラ２２に伝達される惰性による回転動作に応じて、テープ３０及びインクリボン３１がそのまま僅かに搬送されるのに伴ない、エンコーダ４５からエンコーダパルスＳが出力されると、このエンコーダパルスＳの発生毎に、前記ＲＡＭ４２内の第１テープ搬送量カウンタ４２ｄにおけるカウント値ｎが（＋１）されると共に、１ライン印字データＤＡＴＡが印字ヘッド部１７に転送されてラッチされ、また、ストローブ信号ＳＴＢが印字ヘッド部１７に供給され、テープ３０に対し順次１ラインずつの印字データが継続して印字される（ステップＳ８→Ｓ９，Ｓ１０）。
【００４８】
そして、前記ＤＣモータ４３からギヤ列４４を介してプラテンローラ２２に伝達される惰性による回転動作がなくなり、テープ３０及びインクリボン３１の搬送が完全に停止されるのに伴ない、エンコーダ４５からのエンコーダパルスＳが出力されなくなり、制御部４０内のタイマ４０ａによる計時動作により一定時間が経過したと判断されると、電源回路４６に対するヘッド駆動制御信号ＣH の出力が停止されて印字ヘッド部１７へのヘッド駆動電圧ＶH の供給が停止され、テープ３０の搬送及びサーマル印字ヘッド１８の駆動による印字動作は完全に中断される（ステップＳ１１→Ｓ１２）。
【００４９】
すると、ユーザに対しテープ３０の切断操作を促す要求メッセージデータが液晶表示部１３に表示される（ステップＳ１３）。
これにより、ユーザがカッタ操作レバー１６ａを操作することで、カッタ機構３２を作動させると、テープ３０における印字領域の先頭に設定された余白長（Ｙ）が残された状態で、その先の（Ｌ−Ｙ）に相当する不要部分が切断されて分離される。
【００５０】
こうして、印字動作を中断してテープ３０の先端における不要余白長部分（Ｌ−Ｙ）を切断分離した後に、印刷動作再開のため実行キー１２ｅを操作すると、制御部４０から電源回路４６に対して再びモータ駆動制御信号ＣM が出力されることで、モータドライバ４７へモータ駆動電圧ＶM が供給され、ＤＣモータ４３が回転駆動される（ステップＳ１４→Ｓ１５）。
【００５１】
すると、ＤＣモータ４３の回転動作がギヤ列４４を介してプラテンローラ２２に伝達され、サーマル印字ヘッド１８のライン型発熱素子１９との間に挟持されたテープ３０及びインクリボン３１の搬送が再開される。
【００５２】
すると、前記テープ３０及びインクリボン３１が１ライン分搬送される毎に、前記ギヤ列４４に設けられたエンコーダ４５により再びエンコーダパルス（基準信号）Ｓが発生され、制御部４０に出力されるもので、このエンコーダパルスＳの発生毎に、前記ＲＡＭ４２内の第１テープ搬送量カウンタ４２ｄにおけるカウント値ｎが（＋１）されると共に、印字バッファ４２ｃに印字データメモリから順次読み出されて記憶される１ライン印字データＤＡＴＡが印字ヘッド部１７に転送されてラッチされ、また、ストローブ信号ＳＴＢが印字ヘッド部１７に供給され、さらに、ヘッド制御信号ＣＨにより電源回路４６からヘッド駆動電圧ＶH が印字ヘッド部１７に供給再開され、テープ３０に対し残りの印字データが順次１ラインずつ印字される（ステップＳ１６→Ｓ１７，Ｓ１８）。
【００５３】
そして、ＲＡＭ４２内の印刷データメモリに記憶されている全ての印刷データの印字出力が終了したと判断されると、電源回路４６に対するヘッド駆動制御信号ＣH の出力が停止されて印字ヘッド部１７へのヘッド駆動電圧ＶH の供給が停止され、テープ３０は搬送状態のままサーマル印字ヘッド１８の駆動による印字動作が停止される（ステップＳ１９→Ｓ２０）。
【００５４】
そして、前記印刷データの印字出力終了時以降のテープ３０の搬送動作に伴ない、エンコーダ４５によるエンコーダパルスＳが発生されると、当該エンコーダパルスＳの発生毎にＲＡＭ４２内の第２テープ搬送量カウンタ４２ｅにおけるカウント値ｍが（＋１）される（ステップＳ２１→Ｓ２２）。
【００５５】
そして、前記テープ３０が１ラインずつ搬送される毎に、前記ＲＡＭ４２内の第２テープ搬送量カウンタ４２ｅにおけるカウント値ｍと同ＲＡＭ４２内の終了搬送ライン数レジスタにセットされているヘッド１８〜カッタ３２間の離間距離データＬに設定余白長さデータＹを加えた印字終了時の空送り長さ（Ｌ＋Ｙ）に相当するテープ３０の搬送ライン数Ｂとが一致したか否か、つまり、印字領域の後端に設定余白を加えたテープ３０に対する切断対象位置がカッタ機構３２による切断処理位置まで進行したか否か判断される（ステップＳ２３）。
【００５６】
ここで、印字出力の終了時以降に搬送されるテープ３０における印字領域の後端に設定余白長Ｙを加えたテープ切断対象位置がカッタ機構３２による切断処理位置まで進行したこと、つまり、前記第２テープ搬送量カウンタ４２ｅにおけるカウント値ｍと終了搬送ライン数レジスタにセットされている印字終了時の空送り長さ（Ｌ＋Ｙ）に相当するテープ３０の搬送ライン数Ｂとが一致したと判断されると、電源回路４６に対するモータ駆動制御信号ＣM の出力も停止されて、ＤＣモータ４３へのモータ駆動電圧ＶM の供給が停止され、印字部全体に対する電源の供給が停止されて、テキストデータのテープ印字処理が終了される（ステップＳ２４）。
【００５７】
そして、液晶表示部１３に対して、テープ印字の終了を示すメッセージデータが表示される（ステップＳ２５）。
したがって、前記構成のテーププリンタによれば、テープ３０に対する印字データの印字開始後に、該テープ３０における印字領域の先頭に設定余白長Ｙを残してその先の不要余白部分をカッタ機構３２により切断分離するために、テープ３０の切断対象位置がカッタ機構３２による切断処理位置まで進んだ際に、ＤＣモータ４３に対するモータ駆動電圧ＶM の供給が中断されてテープ３０の搬送制御が停止された場合でも、該ＤＣモータ４３からギヤ列４４を介したプラテンローラ２２の惰性による回転に伴ないテープ３０がそのまま搬送される状態では、１ドットラインの搬送量に応じてエンコーダ４５から発生されるエンコーダパルスＳに同期した印字ヘッド部１７の駆動制御が継続されるので、テープ搬送の完全停止に伴ないテープ切断操作を行ない残りの印字動作を再開させた場合でも、印字抜けが生じることなく良好なテープ印刷結果を得ることができる。
【００５８】
なお、前記実施形態では、テープ３０のカッタ機構３２を、カッタ操作レバー１６ａを操作することで手動により作動させる構成としたが、モータ等の駆動手段によって、自動的に切断制御する構成としてもよい。
【００５９】
【発明の効果】
以上のように、本発明の請求項１に係わるテープ印字装置によれば、定められた処理のために、テープへの印字途中で印字動作を中断した際には、電源手段によるＤＣモータへの駆動電圧の供給が停止された後も、該電源手段による印字ヘッドへの駆動電圧の供給が継続され、前記テープが所定距離だけ搬送される毎に信号発生手段により発生される基準信号に同期して、印字手段により前記テープに印字データの印字が行なわれるので、ＤＣモータの惰性回転によるテープ搬送時にも対応する印字がなされるようになる。
【００６０】
また、本発明の請求項２に係わるテープ印字装置によれば、印字手段の印字途中で、テープが所定距離だけ搬送される毎に信号発生手段により発生される基準信号の計数値が、余白設定手段により設定された余白を確保できる値になったときには、カッタ手段により前記テープの端部を切断するために、ＤＣモータへの電源手段による駆動電圧の供給が停止されると共に、該電源手段による印字ヘッドへの駆動電圧の供給が継続されて前記テープの搬送が停止するまでの間に前記信号発生手段により発生される基準信号に同期して前記印字手段による印字が行なわれ、前記カッタ手段による前記テープの切断処理の終了後には、前記印字手段による前記テープへの印字が再開されるので、不要余白切断のための印字中断に伴なうＤＣモータの惰性回転によるテープ搬送時にも対応する印字がなされ、印字再開されるようになる。
【００６１】
よって、例えばテープ先端に任意設定による余白を設けるため印字動作を中断した際に、ＤＣモータの惰性回転によりテープがそのまま僅かに搬送された場合でも、印字抜けが生じることなく、印字動作を再開することが可能になる。
【図面の簡単な説明】
【図１】本発明のテープ印字装置の実施形態に係わるテーププリンタの外観の構成を示す斜視図。
【図２】前記テーププリンタの装置本体の上面の蓋を開いて見たカセット収容部の内部の構成を示す図。
【図３】前記テーププリンタの電子回路の構成を示すブロック図。
【図４】前記テーププリンタにおける印刷処理（その１）を示すフローチャート。
【図５】前記テーププリンタにおける印刷処理（その２）を示すフローチャート。
【図６】前記テーププリンタの印刷処理に伴なう印字動作中断時の動作を示すタイミングチャート。
【符号の説明】
１１  …装置本体、
１２  …キーボード（キー入力部）、
１２ａ…文字入力キー、
１２ｂ…電源キー、
１２ｅ…リターン（実行）キー、
１２ｆ…プリント（印字）キー、
１３  …液晶表示部、
１５  …カセット収容部、
１６  …テープ排出口、
１６ａ…カッタ操作レバー、
１７  …印字ヘッド部、
１８  …サーマル印字ヘッド、
１９  …ヘッド発熱素子、
２２  …プラテンローラ、
２３  …インクリボン巻き取り軸、
２４  …テープカセット、
２５  …カセットケース、
２６  …テープ供給リール、
２７  …インクリボン供給リール、
２８  …インクリボン巻き取りリール、
３０  …テープ、
３１  …インクリボン、
３２  …カッタ機構、
３３  …カッタ固定刃、
３５  …カッタ可動刃、
４０  …制御部（ＣＰＵ）、
４０ａ…タイマ、
４１  …ＲＯＭ、
４１ａ…ヘッド〜カッタ間距離メモリ（Ｌ）、
４２  …ＲＡＭ、
４２ａ…入力バッファ、
４２ｂ…表示バッファ、
４２ｃ…印字バッファ、
４２ｄ…第１テープ搬送量カウンタ（ｎ）、
４２ｅ…第２テープ搬送量カウンタ（ｎ）、
４３  …ＤＣモータ、
４４  …ギヤ列、
４５  …エンコーダ、
４６  …電源回路、
４７  …モータドライバ、
Ｓ  …エンコーダパルス、
ＣH …ヘッド駆動制御信号、
ＣM …モータ駆動制御信号、
ＶH …ヘッド駆動電圧、
ＶM …モータ駆動電圧、
ＤＡＴＡ…１ライン印字データ、
ＳＴＢ…ストローブ信号。
【図１】
0003928890.tif 000002
【図２】
0003928890.tif 000003
【図３】
0003928890.tif 000004
【図４】
0003928890.tif 000005
【図５】
0003928890.tif 000006
【図６】
0003928890.tif 000007